(57)【要約】【課題】特許文献１の携帯端末は、バッテリーの消費電力を十分に抑制できていないという課題があった。【解決手段】携帯端末は、接続されるコアネットワーク装置に、第１の頻度で繰り返し位置登録を行う携帯端末であって、自身が使用されておらず、且つ、移動していないと判別した第１の時点の後、所定の条件が満足されたときには、所定のアプリケーションを停止し、さらに、前記第１の頻度よりも低い第２の頻度で前記位置登録を行う。【選択図】      図７
2014232940.tif 000002
【特許請求の範囲】
【請求項１】
接続されるコアネットワーク装置に、第１の頻度で繰り返し位置登録を行う携帯端末であって、
自身が使用されておらず、且つ、移動していないと判別した第１の時点の後、所定の条件が満足されたときには、所定のアプリケーションを停止し、さらに、前記第１の頻度よりも低い第２の頻度で前記位置登録を行う、
ことを特徴とする携帯端末。
【請求項２】
前記判別の後に、前記コアネットワーク装置に対し、省電力モードに遷移することを示すメッセージを出力し、前記メッセージに対する応答メッセージが入力された場合に、前記第２の頻度で前記位置登録を行う、
ことを特徴とする請求項１に記載の携帯端末。
【請求項３】
前記所定の条件は、自身が使用されてないと判別する頻度が第１の所定値以上である第１の時間帯に、前記第１の時点が生起した場合であり、前記所定の条件が満足されないときには、前記第１の頻度で前記位置登録を行う、
ことを特徴とする請求項１乃至２のいずれか１項に記載の携帯端末。
【請求項４】
前記所定の条件は、前記判定が完了したことである、
ことを特徴とする付記１乃至２のいずれか１項に記載の携帯端末。
【請求項５】
ジャイロセンサーを備え、
前記携帯端末の水平角度の変化量を所定時間、計測するジャイロセンサーを備え、前記水平角度の変化量が第２の所定値以下であれば、移動していないと判別する、
ことを特徴とする請求項１乃至４のいずれか１項に記載の携帯端末。
【請求項６】
前記ジャイロセンサーによって、前記携帯端末の上下角度の変化量を所定時間、計測し、計測した前記上下角度の変化量が第３の所定値以下であれば、使用されていないと判別する、
ことを特徴とする請求項１乃至５のいずれか１項に記載の携帯端末。
【請求項７】
接続される携帯端末から第１の所定時間以内に位置登録がされるかを監視するコアネットワーク装置であって、
前記携帯端末から省電力モードに遷移することを示すメッセージが入力されると、前記第１の所定時間の代わりに、前記第１の所定時間より長い第２の所定時間を用いて、前記監視を開始し、前記メッセージに対する応答メッセージを出力する、
ことを特徴とするコアネットワーク装置。
【請求項８】
携帯端末とコアネットワーク装置とが通信を行う通信システムであって、
前記携帯端末は、請求項２乃至６のいずれか１項に記載の携帯端末であり、
前記コアネットワーク装置は、請求項７に記載のコアネットワーク装置である、
ことを特徴とする通信システム。
【請求項９】
接続されるコアネットワーク装置に、第１の頻度で繰り返し位置登録を行う携帯端末の制御方法であって、
自身が使用されておらず、且つ、移動していないと判別した第１の時点の後、所定の条件が満足されたときには、所定のアプリケーションを停止し、さらに、前記第１の頻度よりも低い第２の頻度で前記位置登録を行う、
ことを特徴とする携帯端末の制御方法。
【請求項１０】
第１の所定時間以内に前記携帯端末から前記位置登録がされるかを監視しているときに、前記判別後に出力された、省電力モードに遷移することを示すメッセージが入力されると、前記第１の所定時間の代わりに、前記第１の所定時間より長い第２の所定時間を用いて、前記監視を開始し、さらに、前記メッセージに対する応答メッセージを出力する、
ことを特徴とする請求項９の携帯端末の制御方法。
【発明の詳細な説明】
【技術分野】
【０００１】
本発明は、携帯端末、携帯端末の制御方法に関し、特に、自身がユーザーによって使用されていないときは、動作中の処理を停止する携帯端末、携帯端末の制御方法に関する。
【背景技術】
【０００２】
近年、携帯端末は、高機能化しており、バッテリーの消費電力を抑制することが一つの課題となっている。特に、スマートフォンは、今までの携帯端末よりもディスプレイが大型化し、さらにアプリケーションを含め、様々な処理がバックグラウンドで動作するので、バッテリーの消費電力が著しく大きい。
【０００３】
そこで、ユーザーによって使用されていないときには、起動中のアプリケーションを停止し、バッテリーの消費電力を抑制する携帯端末が一般的に知られている。上述のようにバッテリーの消費電力を抑制する携帯端末は、例えば、以下の特許文献１に開示がされている。
【０００４】
特許文献１の携帯端末は、携帯電話機能に加えて、仮想マシンにより実行されるアプリケーションプログラムが実装された携帯端末である。特許文献１の携帯端末は、使用／不使用検出手段と、アプリケーションプログラム実行制御手段と、を備える。使用／不使用検出手段は、携帯端末の使用状態と不使用状態を検出する。使用／不使用検出手段は、携帯端末の筐体側面に配置されたタッチセンサーであってもよい。この場合、使用／不使用検出手段は、ユーザーが手で筐体を握っているとき、携帯端末が使用状態であると検出し、手が離れているとき、携帯端末が不使用状態であると検出する。アプリケーションプログラム実行制御手段は、使用状態検出手段により不使用状態が検出されたとき、仮想マシンにより実行されているアプリケーションプログラムの実行を中断させる。
【０００５】
上述の構成や動作の通り、特許文献１の携帯端末は、ユーザーによって使用されていないとき、起動中のアプリケーションプログラムの実行を自動的に中断するので、バッテリーの消費電力を抑制することができる。
【０００６】
なお、特許文献１の携帯端末は、一般的な携帯電話機能を備えているので、一般的な携帯端末と同様に位置登録処理、すなわち自分の位置情報をコアネットワーク装置に通知する処理を周期的に行う。コアネットワーク装置は、携帯端末から位置情報が通知される毎に、位置登録データベースに登録されている携帯端末の位置情報を、通知された位置情報に更新する。コアネットワーク装置は、更新した位置情報を基に、携帯端末へ呼を着信させる。なお、上述のコアネットワーク装置とは、例えば、ＭＭＥ（Ｍｏｂｉｌｉｔｙ  Ｍａｎａｇｅｍｅｎｔ  Ｅｎｔｉｔｙ）であり、位置登録データベースとは、例えば、ＶＬＲ（Ｖｉｓｉｔｅｄ  Ｌｏｃａｔｉｏｎ  Ｒｅｇｉｓｔｅｒ）である。
【先行技術文献】
【特許文献】
【０００７】
【特許文献１】特開２００７−２２１２２８号公報
【発明の概要】
【発明が解決しようとする課題】
【０００８】
しかし、特許文献１の携帯端末は、バッテリーの消費電力を十分に抑制できていないという課題があった。その理由としては、特許文献１の携帯端末は、起動中のアプリケーションを停止するだけで、他に処理を停止しないからである。
【０００９】
例えば、特許文献１の携帯端末は、移動せずに同じ位置に留まり続け、同じ位置情報を通知し続ける場合であっても、上述の位置登録処理を一時的にでも停止しない。なぜなら、特許文献１の携帯端末は、移動していないことを検出し、位置登録処理を一時的に停止するという構成がないからである。特許文献１の携帯端末は、位置登録処理を一時的にでも停止しないので、バッテリーの消費電力を十分に抑制できていなかった。
【００１０】
なお、コアネットワーク装置は、携帯端末からの位置登録処理が一時的に停止しても、その位置が変わらない限り、位置登録データベースに登録されている位置情報で、呼を携帯端末に着信させることができると考えられる。
【００１１】
本発明は、上記課題を解決する携帯端末、携帯端末の制御方法を提供することを目的とする。
【課題を解決するための手段】
【００１２】
上記目的を達成するために、本発明の携帯端末は、接続されるコアネットワーク装置に、第１の頻度で繰り返し位置登録を行う携帯端末であって、自身が使用されておらず、且つ、移動していないと判別した第１の時点の後、所定の条件が満足されたときには、所定のアプリケーションを停止し、さらに、前記第１の頻度よりも低い第２の頻度で前記位置登録を行う。
【００１３】
上記目的を達成するために、本発明の携帯端末の制御方法は、接続されるコアネットワーク装置に、第１の頻度で繰り返し位置登録を行う携帯端末の制御方法であって、自身が使用されておらず、且つ、移動していないと判別した第１の時点の後、所定の条件が満足されたときには、所定のアプリケーションを停止し、さらに、前記第１の頻度よりも低い第２の頻度で前記位置登録を行う。
【発明の効果】
【００１４】
本発明によれば、携帯端末は、バッテリーの消費電力を十分に抑制することができる。
【図面の簡単な説明】
【００１５】
【図１】本発明の第１の実施の形態における携帯端末を備える移動体通信システムの構成例を示す図である。
【図２】本発明の第１の実施の形態における携帯端末１０の動作を説明する為の図である。
【図３】本発明の第１の実施の形態における携帯端末１０の位置登録動作（通常の場合の位置登録動作）を説明する為の図である。
【図４】本発明の第１の実施の形態における携帯端末１０の位置登録動作（省電力モードに遷移する場合の位置登録動作）を説明する為の図である。
【図５】本発明の第２の実施の形態における携帯端末を備える移動体通信システムの構成例を示す図である。
【図６】本発明の第２の実施の形態における携帯端末５０の動作を説明する為の図である。
【図７】本発明の第３の実施の形態における携帯端末を備える通信システムの構成例を示す図である。
【発明を実施するための形態】
【００１６】
次に本発明の実施形態について、図面を参照して詳細に説明する。
【００１７】
［第１の実施の形態］
本発明の第１の実施の形態における携帯端末は、移動体通信システムを構成する端末である。まず、本実施形態の携帯端末を備える移動体通信システムの構成と機能について説明する。
【００１８】
［構成の説明］
（１）本発明の第１の実施の形態における携帯端末を備える移動体通信システムの構成
図１は、本発明の第１の実施の形態における携帯端末を備える移動体通信システムの構成例を示す図である。図１に示されるように、移動体通信システムは、本実施形態の携帯端末１０と、基地局２０と、コアネットワーク装置３０とを備える。コアネットワーク装置３０は、ＭＭＥ（Ｍｏｂｉｌｉｔｙ  Ｍａｎａｇｅｍｅｎｔ  Ｅｎｔｉｔｙ）である。
【００１９】
基地局２０は、無線回線を介して、携帯端末１０と接続される。また、基地局２０は、有線回線を介して、コアネットワーク装置３０と接続される。なお、コアネットワーク装置３０は、図示していないが、位置登録データベース、すなわちＶＬＲ（Ｖｉｓｉｔｅｄ  Ｌｏｃａｔｉｏｎ  Ｒｅｇｉｓｔｅｒ)に接続される。
【００２０】
（２）本発明の第１の実施形態における移動体通信システムを構成する各部位の機能
（２−１）第１の実施の形態における携帯端末１０の機能
携帯端末１０は、３ＧＰＰ（３ｒｄ  Ｇｅｎｅｒａｔｉｏｎ  Ｐａｒｔｎｅｒｓｈｉｐ  Ｐｒｏｊｅｃｔ）に準拠する無線通信機能を備える。さらに、携帯端末１０は、３ＧＰＰに準拠する無線通信機能以外に、ＷｉＦｉ（Ｗｉｒｅｌｅｓｓ  Ｆｉｄｅｌｉｔｙ）（登録商標）規格やＢｌｕｅｔｏｏｔｈ（登録商標）規格に従う無線通信機能を備える。
【００２１】
また、携帯端末１０は、所定のタイミングになると、自身がユーザーによって使用されているのかどうかを判別する。具体的には、携帯端末１０は、その画面に一般的なタッチセンサー機能を備え、所定のタイミングになると、所定の時間、画面に接触するものがあるかを、上述のタッチセンサー機能によって確認し、接触するものがあれば使用されていると判別する。携帯端末１０は、画面に接触するものがなければ、使用されていないと判別する。上述の所定のタイミングと所定の時間は、本実施形態の携帯端末１０のユーザーによって、携帯端末１０に設定される。また、上述の所定のタイミングは、一定間隔毎のタイミングである。なお、携帯端末１０は、自身に備わるボタン下に一般的な圧力検知センサーを備え、所定のタイミングになると、所定の時間、ボタン押下による圧力の有無を上述の圧力検知センサーによって確認し、圧力があれば使用されていると判別してもよい。携帯端末１０は、所定の時間、圧力がなければ、使用されていないと判別してもよい。さらに、携帯端末１０は、所定の時間、３ＧＰＰ、ＷｉＦｉ規格、若しくはＢｌｕｅｔｏｏｔｈ規格に準拠する各無線通信機能の送信レベルをそれぞれ測定し、いずれかが所定値以上の場合は、使用していると判別してもよい。携帯端末１０は、各無線通信機能の送信レベルのいずれかが所定値以上でない場合は、使用されていないと判別してもよい。上述の所定値は、本実施形態の携帯端末１０のユーザーによって、携帯端末１０に設定される。さらに、携帯端末１０は、ジャイロセンサーを備え、所定のタイミングになると、そのタイミングから所定の時間、上下角度の変化量をジャイロセンサーによって計測し、計測した変化量が所定値より大きければ、使用されていると判別してもよい。携帯端末１０は、計測した変化量が所定値以下であれば、使用されていないと判別してもよい。上述の所定量は、本実施形態の携帯端末１０のユーザーによって、携帯端末１０に設定される。
【００２２】
さらに、携帯端末１０は、自身がユーザーによって使用されていないと判別した場合には、自身が移動中なのか、移動の有無を判別する。具体的には、携帯端末１０は、ＧＰＳ（Ｇｌｏｂａｌ  Ｐｏｓｉｔｉｏｎｉｎｇ  Ｓｙｓｔｅｍ）機能を備え、ＧＰＳ機能によって、自分の位置を所定回数測定し、測定した位置がいずれも同じ位置であれば、移動なく、同じ位置に留まり続けていると判別する。携帯端末１０は、測定した位置のいずれかが異なる位置であれば、移動中と判別する。上述の所定回数は、本実施形態の携帯端末１０のユーザーによって、携帯端末１０に設定される。なお、携帯端末１０は、ジャイロセンサーを備え、ジャイロセンサーによって、水平角度の変化量を所定時間、計測し、計測した変化量が所定値以下であれば、移動なく、同じ位置に留まり続けていると判別してもよい。携帯端末１０は、計測した変化量が所定値以下でなければ、移動中と判別してもよい。上述の所定回数や所定時間、所定値は、本実施形態の携帯端末１０のユーザーによって、携帯端末１０に設定される。
【００２３】
さらに、携帯端末１０は、一般的な位置登録処理を行う。すなわち、携帯端末１０は、所定のタイミングになると、上述の３ＧＰＰに準拠する無線通信機能を用い、自身の位置情報と自身に対応する識別子を含む位置登録メッセージを、基地局２０に出力する。上述の位置登録メッセージは、３ＧＰＰに規定されている公知のＬｏｃａｔｉｏｎ  Ｕｐｄａｔｅ  Ｒｅｑｕｅｓｔであってもよい。上述の所定のタイミングは、一定間隔毎のタイミングであり、本実施形態の移動体通信システムを保有する通信事業者によって、予め携帯端末１０に設定される。
【００２４】
さらに、携帯端末１０は、使用されていないと判別し、さらに、移動なく、同じ位置に留まり続けていると判別した場合には、省電力モードに遷移することを示す情報を含めて、上述の位置登録メッセージを出力する。そして、携帯端末１０は、位置登録メッセージに対する応答メッセージを受信すると、省電力モードに遷移し、位置登録を一時的に停止する。すなわち、携帯端末１０は、起動中の所定のアプリケーションを停止し、所定のタイミングになり、位置登録メッセージをコアネットワーク装置３０に通知するのは、所定回数に１度だけに減らす。上述の所定のアプリケーションは、本実施形態の携帯端末１０のユーザーによって、携帯端末１０に設定される。また、上述の所定回数は、本実施形態の移動体通信システムを保有する通信事業者によって、予め携帯端末１０に設定される。
【００２５】
一方、携帯端末１０は、使用されていないと判別し、さらに、移動中と判別した場合には、起動中の所定のアプリケーションを停止する。このとき、携帯端末１０は、一般的な位置登録処理は実施する。携帯端末１０は、位置登録処理を一時的にでも停止しない。
【００２６】
また、携帯端末１０は、自身がユーザーによって使用されていると判別したときには、起動中の所定のアプリケーションを継続して動作させ、また、一般的な位置登録処理も実施する。すなわち、携帯端末１０は、起動中の所定のアプリケーションを停止しないし、さらに、位置登録処理も一時的に停止しない。
【００２７】
（２−２）基地局２０の機能
基地局２０は、一般的な基地局機能を有する。すなわち、基地局２０は、３ＧＰＰに準拠する無線通信機能を備え、その無線通信機能によって、携帯端末１０からメッセージを受信すると、そのメッセージをコアネットワーク装置３０に通知する。また、基地局２０は、上述の無線通信機能によって、コアネットワーク装置３０からメッセージを受信すると、受信したメッセージを携帯端末１０に通知する。
【００２８】
（２−３）コアネットワーク装置３０の機能
コアネットワーク装置３０は、図示していないが、一般的なコアネットワーク装置と同様、位置登録処理を行う。すなわち、コアネットワーク装置３０は、位置登録メッセージを受信すると、そのメッセージから位置情報と携帯端末１０に対応する識別子とを抽出し、抽出した識別子と位置情報とを関連づけて、位置登録データベースに登録する。なお、コアネットワーク装置３０は、抽出した識別子がすでに位置登録データベースに登録されているときは、抽出した識別子に関連づけて登録されている位置情報を、抽出した位置情報に更新する。
【００２９】
また、本実施形態のコアネットワーク装置３０は、一般的なコアネットワーク装置と同様、位置登録データベースに登録されている位置情報を所定時間以内に更新し続けているのかを監視する。具体的には、コアネットワーク装置３０は、計時機能（以下、「タイマー」という）を備え、携帯端末１０から位置登録メッセージを受信し、位置登録データベースに登録されている位置情報を更新すると、タイマーを起動し、初期化した後に、時間の計測を開始する。そして、コアネットワーク装置３０は、タイマーが所定の満了時間を経過する前に、再度、位置登録メッセージを携帯端末から受信し、位置登録データベースの位置情報を更新するのかを監視する。コアネットワーク装置３０は、位置情報を更新、若しくは登録する毎に上述の動作を繰り返す。なお、上述の監視の結果、タイマーが所定の満了時間を経過した場合には、コアネットワーク装置３０は、所定時間以内に位置情報を更新し続けていないと認識し、位置登録データベースに登録されている携帯端末１０の位置情報を抹消する。上述の所定の満了時間は、本実施形態の移動体通信システムを保有する通信事業者によって、予め携帯端末１０に設定される。さらに、コアネットワーク装置３０は、タイマーを初期化し、時間の計測を開始した後、位置登録メッセージに対する応答メッセージを基地局２０に出力する。
【００３０】
なお、コアネットワーク装置３０は、一般的なコアネットワーク装置と異なり、通知された位置登録メッセージに、省電力モードに遷移することを示す情報が含まれていた場合には、上述の所定の満了時間を所定時間分、伸張する。そして、コアネットワーク装置３０は、位置情報を更新し続けているか監視する際、上述の所定の満了時間ではなく、伸張した所定の満了時間を用いる。すなわち、コアネットワーク装置３０は、伸張した所定の満了時間以内に、位置登録データベースの位置情報を更新し続けているのかを監視する。
【００３１】
［動作の説明］
まず、本実施形態の携帯端末１０の動作の概要を、コアネットワーク装置３０の動作も含めて説明する。
【００３２】
（１）本実施形態の携帯端末１０の動作概要
本実施形態の携帯端末１０は、ユーザーによって使用されていない状態で、且つ、移動なく、同じ位置に留まり続けているときには、起動中のアプリケーションを停止し、さらに位置登録も一時的に停止する。これにより、本実施形態の携帯端末は、バッテリーの消費電力を抑制する。
【００３３】
なお、本実施形態の携帯端末１０が位置登録を一時的に停止することにより、コアネットワーク装置３０が、所定の満了時間以内に位置情報を更新できず、位置登録データベースに登録されている携帯端末１０の位置情報を抹消してしまうことが考えられる。（コアネットワーク装置３０が、一般的なコアネットワーク装置と同様、位置登録されず、所定の満了時間以内に位置情報を更新できないと、位置登録データベースから位置情報を抹消することは、「（２−３）コアネットワーク装置３０の機能」に上述した通りである。）その為、本実施形態の携帯端末１０は、位置登録データベースに登録されている自身の位置情報が抹消されないよう、コアネットワーク装置３０に対し、上述の所定の満了時間を伸張することを要求する。その要求を受けたコアネットワーク装置３０は、所定の満了時間を伸張し、伸張した所定の満了時間以内に位置情報を更新できるかを監視する。
【００３４】
上述の動作により、携帯端末１０が、位置登録も一時的に停止しても、コアネットワーク装置３０が携帯端末１０の位置情報を抹消しないようにでき、携帯端末１０への着信に影響がでないようにすることができる。
【００３５】
以下に、本発明の第１の実施の形態における携帯端末１０の動作の詳細を、コアネットワーク装置３０の動作も含めて説明する。
【００３６】
なお、図２は、本発明の第１の実施の形態における携帯端末１０の動作を説明する為の図である。図３は、本発明の第１の実施の形態における携帯端末１０の位置登録動作（通常の場合の位置登録動作）を説明する為の図である。図４は、本発明の第１の実施の形態における移動体通信システムを構成する携帯端末１０の位置登録動作（省電力モードに遷移する場合の位置登録動作）を説明する為の図である。
【００３７】
（２）携帯端末１０の動作の詳細
まず、本実施形態の携帯端末１０は、図２に示されるように、所定のタイミングになると、自身がユーザーによって使用されているのかどうかを判別する（Ｓ１０）。
【００３８】
具体的には、本実施形態の携帯端末１０は、所定のタイミングになると、所定の時間、画面に接触するものがあるかを、画面に備わるタッチセンサー機能によって確認し、接触するものがあれば使用されていると判別する。携帯端末１０は、画面に接触するものがなければ、使用されていないと判別する。上述の所定のタイミングと所定の時間は、本実施形態の携帯端末１０のユーザーによって、携帯端末１０に設定される。また、上述の所定のタイミングは、一定間隔毎のタイミングである。なお、携帯端末１０は、所定のタイミングになると、所定の時間、ボタン押下による圧力の有無を、ボタン下に備わる圧力検知センサーによって確認し、圧力があれば使用されていると判別し、圧力がなければ、使用されていないと判別してもよい。さらに、携帯端末１０は、所定の時間、３ＧＰＰ、ＷｉＦｉ規格、若しくはＢｌｕｅｔｏｏｔｈ規格に準拠する各無線通信機能の送信レベルをそれぞれ測定し、いずれかが所定値以上の場合は、使用していると判別してもよい。携帯端末１０は、各無線通信機能の送信レベルのいずれかが所定値以上でない場合は、使用されていないと判別してもよい。上述の所定値は、本実施形態の携帯端末１０のユーザーによって、携帯端末１０に設定される。さらに、携帯端末１０は、ジャイロセンサーを備え、所定のタイミングになると、そのタイミングから所定の時間、上下角度の変化量をジャイロセンサーによって計測し、計測した変化量より大きければ、使用されていると判別してもよい。携帯端末１０は、計測した変化量が所定値以下であれば、使用されていないと判別してもよい。上述の所定量は、本実施形態の携帯端末１０のユーザーによって、携帯端末１０に設定される。
【００３９】
次に、携帯端末１０は、上述のＳ１０で、自身がユーザーによって使用されていないと判別した場合、すなわち不使用と判別した場合には、図２に示されるように、自身が移動中なのか、移動の有無を判別する（Ｓ２０）。
【００４０】
具体的には、携帯端末１０は、不使用と判別した場合には、自身に備わるＧＰＳ機能によって、自分の位置を所定回数測定し、測定した位置がいずれも同じ位置であれば、移動なく、同じ位置に留まり続けていると判別する。携帯端末１０は、測定した位置のいずれかが異なる位置であれば、移動中と判別する。上述の所定回数は、携帯端末１０のユーザーによって、携帯端末１０に設定される。また、携帯端末１０は、ジャイロセンサーを備え、ジャイロセンサーによって、水平角度の変化量を所定時間、計測し、計測した変化量が所定値以下であれば、移動なく、同じ位置に留まり続けていると判別してもよい。携帯端末１０は、計測した変化量が所定値以下でなければ、移動中と判別してもよい。上述の所定回数や所定時間、所定値は、本実施形態の携帯端末１０のユーザーによって、携帯端末１０に設定される。
【００４１】
一方、携帯端末１０は、上述のＳ１０で、自身が使用されていると判別した場合（すなわち、使用中と判別した場合）には、それまでと何ら動作を変更しない（Ｓ３０）。
【００４２】
すなわち、携帯端末１０は、起動中のアプリケーションを停止せず、また、位置登録処理についても、一般的な位置登録処理を行い、一時的に停止することをしない。一般的な位置登録処理の具体的な動作を、以下のＳ３１〜Ｓ３６に示す。
【００４３】
まず、携帯端末１０は、所定のタイミングになると、図３に示されるように、自身の位置情報と自身に対応する識別子とを含む位置登録メッセージを、基地局２０に送信する（Ｓ３１）。
【００４４】
上述の位置登録メッセージは、３ＧＰＰに規定されている公知のＬｏｃａｔｉｏｎ  Ｕｐｄａｔｅ  Ｒｅｑｕｅｓｔであってもよい。上述の所定のタイミングは、一定間隔毎のタイミングであり、本実施形態の移動体通信システムを保有する通信事業者によって予め携帯端末１０に設定される。その為、携帯端末１０は、位置登録メッセージの出力を一定間隔毎に繰り返し行う。なお、上述の所定のタイミングは、Ｓ１０の所定のタイミング（すなわち、使用中かどうかを判定する為の所定のタイミング）と同じである必要はない。
【００４５】
次に、基地局２０は、位置登録メッセージを受信すると、そのメッセージをコアネットワーク装置３０に通知する（Ｓ３２）。
【００４６】
次に、コアネットワーク装置３０は、位置登録メッセージを受信すると、そのメッセージから位置情報と携帯端末１０に対応する識別子を抽出し、抽出した識別子と位置情報とを関連づけて、位置登録データベースに登録する。なお、コアネットワーク装置３０は、抽出した識別子がすでに位置登録データベースに登録されているときは、抽出した識別子に関連づけて登録されている位置情報を、抽出した位置情報に更新する（Ｓ３３）。
【００４７】
上述の位置登録データベースとは、ＶＬＲ（Ｖｉｓｉｔｅｄ  Ｌｏｃａｔｉｏｎ  Ｒｅｇｉｓｔｅｒ)である。
【００４８】
次に、コアネットワーク装置３０は、位置登録データベースに登録されている位置情報を更新すると、タイマーを起動し、初期化した後に、時間の計測を開始する（Ｓ３４）。ここで起動したタイマーは、以下、「位置情報更新待ちタイマー」という。
【００４９】
次に、コアネットワーク装置３０は、位置登録メッセージに対する応答メッセージを基地局２０に出力する（Ｓ３５）。上述の応答メッセージは、公知のメッセージＬｏｃａｔｉｏｎ  Ｕｐｄａｔｅ  Ａｃｃｅｐｔであってもよい。
【００５０】
次に、図示していないが、コアネットワーク装置３０は、登録されている位置情報を所定時間以内に更新し続けるかどうかを監視しながら、次の位置登録メッセージの受信を待つ。具体的には、コアネットワーク装置３０は、位置情報更新待ちタイマーが所定の満了時間を経過したかを繰り返し確認しながら、次の位置登録メッセージの受信を待つ。
【００５１】
コアネットワーク装置３０は、位置情報更新待ちタイマーが所定の満了時間を経過する前に、次の位置登録メッセージを受信した場合には、上述のＳ３３〜Ｓ３５を実施し、位置情報を更新する。このとき、位置情報更新待ちタイマーが初期化されるので、位置情報更新待ちタイマーが所定の満了時間を経過することはない。コアネットワーク装置３０は、位置情報を更新すると、位置情報を所定時間以内に更新し続けていると認識し、その後、再び、位置情報更新待ちタイマーが所定の満了時間を経過したかを確認しながら、次の位置登録メッセージの受信を待つ。一方、コアネットワーク装置３０は、位置情報更新待ちタイマーが所定の満了時間を経過した場合には、自身が位置情報を更新し続けていないと認識し、位置登録データベースに登録されている携帯端末１０の位置情報を抹消する。その後、コアネットワーク装置３０は、携帯端末１０から次の位置登録メッセージを受信するのを待つ。以降、コアネットワーク装置３０は、次の位置登録メッセージを受信すると、上述のＳ３３〜Ｓ３５を実施し、位置情報を更新後、所定の満了時間を経過したかを確認しながら、次の位置登録メッセージの受信を待つという動作を繰り返す。
【００５２】
なお、上述の所定の満了時間は、Ｓ３１の所定のタイミング（すなわち、携帯端末１０が位置登録メッセージを出力するタイミング）を少なくとも１つ含み、本実施形態の移動体通信システムを保有する通信事業者によってコアネットワーク装置３０に設定される。
【００５３】
次に、基地局２０は、図３に示されるように、上述の応答メッセージが通知されると、そのメッセージを携帯端末１０に通知する（Ｓ３６）。
【００５４】
次に、携帯端末１０は、上述の応答メッセージが通知されると、そのメッセージを携帯端末１０に通知する（Ｓ３６）。
【００５５】
次に、図２に示されるように、携帯端末１０は、上述のＳ２０において、移動なしと判別した場合、以下のＳ４１〜Ｓ４８を実施し、省電力モードに遷移する（Ｓ４０）。
【００５６】
まず、携帯端末１０は、移動なしと判別した場合、所定のタイミングになると、図４に示されるように、位置登録メッセージに、省電力モードに遷移することを示す情報を含めて、基地局２０に送信する（Ｓ４１）。
【００５７】
上述の所定のタイミングは、上述のＳ３１の所定のタイミングと同じである。その為、携帯端末１０は、省電力モードに遷移することを示す情報を含んだ位置登録メッセージを、一定間隔毎に繰り返し、出力する。また、ここで送信するメッセージは、コアネットワーク装置３０に対し、上述の所定の満了時間を伸張するよう要求するものである。
【００５８】
次に、基地局２０は、位置登録メッセージを受信すると、そのメッセージをコアネットワーク装置３０に通知する（Ｓ４２）。
【００５９】
次に、コアネットワーク装置３０は、位置登録メッセージを受信すると、そのメッセージから位置情報と携帯端末１０に対応する識別子を抽出し、抽出した識別子と位置情報とを関連づけて、位置登録データベースに登録する。なお、コアネットワーク装置３０は、抽出した識別子がすでに位置登録データベースに登録されているときは、抽出した識別子に関連づけて登録されている位置情報を、抽出した位置情報に更新する（Ｓ４３）。
【００６０】
次に、コアネットワーク装置３０は、受信した位置登録メッセージに、省電力モードに遷移することを示す情報が含まれていた場合には、携帯端末１０が省電力モードに遷移予定であると認識し、位置情報を抹消する所定の満了時間を所定時間分、伸張する（Ｓ４４）。
【００６１】
上述の所定時間は、本実施形態の移動体通信システムを保有する通信事業者によって、予めコアネットワーク装置３０に設定される。後述のＳ４８にて、携帯端末１０が位置登録メッセージをコアネットワーク装置３０に通知するタイミングを変更するが、本実施形態の移動体通信システムを保有する通信事業者は、変更した通知タイミングを含むように所定時間を設定する。なお、コアネットワーク装置３０は、1度、所定の満了時間を伸張すると、それ以上、伸張しない。
【００６２】
次に、コアネットワーク装置３０は、位置登録データベースに登録されている位置情報を更新すると、位置情報更新待ちタイマーを初期化し、時間の計測を開始する（Ｓ４５）。
【００６３】
次に、コアネットワーク装置３０は、位置情報を更新すると、応答メッセージを基地局２０に出力する（Ｓ４６）。なお、コアネットワーク装置３０は、所定時間分、伸張したことを示す情報を、応答メッセージに含めてもよい。
【００６４】
次に、図示していないが、コアネットワーク装置３０は、登録されている位置情報を伸張した所定の満了時間以内に更新し続けていることを監視しながら、次の位置登録メッセージの受信を待つ。具体的には、コアネットワーク装置３０は、位置情報更新待ちタイマーが、伸張した所定の満了時間（以下、「所定の伸張時間」という）を経過したかを繰り返し確認しながら、次の位置登録メッセージの受信を待つ。
【００６５】
コアネットワーク装置３０は、位置情報更新待ちタイマーが所定の伸張時間を経過する前に、次の位置登録メッセージを受信した場合には、上述のＳ４３〜Ｓ４６を実施し、位置情報を更新する。このとき、位置情報更新待ちタイマーが初期化されるので、位置情報更新待ちタイマーが所定の伸張時間を経過することはない。コアネットワーク装置３０は、位置情報を更新すると、位置情報を所定の伸張時間以内に更新し続けていると認識し、その後、再び、位置情報更新待ちタイマーが所定の伸張時間を経過したかを確認しながら、次の位置登録メッセージの受信を待つ。一方、コアネットワーク装置３０は、位置情報更新待ちタイマーが所定の伸張時間を経過した場合には、自身が位置情報を更新し続けていないと認識し、位置登録データベースに登録されている携帯端末１０の位置情報を抹消する。その後、コアネットワーク装置３０は、携帯端末１０から次の位置登録メッセージを受信するのを待つ。以降、コアネットワーク装置３０は、次の位置登録メッセージを受信すると、上述のＳ４３〜Ｓ４６を実施し、位置情報を更新後、所定の伸張時間を経過したかを確認しながら、次の位置登録メッセージの受信を待つという動作を繰り返す。
【００６６】
次に、基地局２０は、図４に示されるように、応答メッセージがコアネットワーク装置３０から通知されると、そのメッセージを携帯端末１０に送信する（Ｓ４７）。
【００６７】
次に、携帯端末１０は、応答メッセージを受信すると、省電力モード、すなわち起動中の所定のアプリケーションを停止し、位置登録処理を一時的に停止するモードに遷移する（Ｓ４８）。
【００６８】
具体的には、携帯端末１０は、所定のアプリケーションを停止し、Ｓ４１に上述した所定のタイミングとなっても、位置登録メッセージをコアネットワーク装置３０に通知するのは、所定回数に１回に減らす。
【００６９】
上述の所定回数は、本実施形態の移動体通信システムを保有する通信事業者によって、予め携帯端末１０に設定される。なお、携帯端末１０は、位置登録メッセージを、所定回数に１回以上通知してもよい。また、上述の所定のアプリケーションは、本実施形態の携帯端末１０のユーザーによって、携帯端末１０に設定される。
【００７０】
一方、図２に示されるように、携帯端末１０は、上述のＳ２０において、移動中と判別した場合、特許文献１の携帯端末と同様、起動中の所定のアプリケーションのみを停止する（Ｓ５０）。この際、携帯端末１０は、位置登録の一時的な停止を行わない。すなわち上述のＳ４１の実施は行わず、上述のＳ３１を繰り返し実施する。
【００７１】
なお、上記では、携帯端末を１台のみ（携帯端末１０のみ）を示したが、これに限らない。２台以上の携帯端末が移動体通信システムに備わっていてもよい。この場合、コアネットワーク装置３０は、携帯端末毎に、上記に示した各処理を行う。
【００７２】
［効果の説明］
本実施形態によれば、携帯端末は、バッテリーの消費電力を十分に抑制することができる。
【００７３】
その理由は、本実施形態の携帯端末が、ユーザーによって使用されていないとき、起動中のアプリケーションを停止するだけでなく、移動せずに同じ位置に留まり続けている場合には、位置登録を一時的に停止するからである。本実施形態の携帯端末は、アプリケーションに加え、位置登録を一時的に停止する分、特許文献１の携帯端末よりも消費電力を抑制することができる。
【００７４】
さらに、本実施形態の携帯端末は、位置登録を一時的に停止することに伴って、自身への着信に影響がでないようにすることができる。
【００７５】
その理由は、本実施形態の携帯端末が、位置登録を停止するとき、位置情報更新待ちタイマーの満了時間を伸張することをコアネットワーク装置に要求し、コアネットワーク装置が、満了時間を伸張して、携帯端末の位置情報を抹消しないようにするからである。
【００７６】
さらに、本実施形態の携帯端末が位置登録を一時的に停止することで、コアネットワーク装置についても位置情報を更新する処理が減り、その結果、コアネットワーク装置の負荷を低減することができる。
【００７７】
［第２の実施の形態］
次に、本発明の第２の実施の形態について説明する。
【００７８】
本実施形態の携帯端末は、ユーザーに使用されず、移動もしていない状態であっても、ユーザーが日頃、活動する時間帯であれば、使用される可能性があるので、第１の実施形態の携帯端末より停止する処理の数を抑えて、省電力モードに遷移するものである。その結果、本実施形態の携帯端末は、ユーザーが日頃、活動する時間帯では、第１の実施形態の携帯端末よりも早く通常時の機能を復旧させることができる。本実施形態の携帯端末は、ユーザーが日頃、活動する時間帯を、ユーザーに使用されていないと判別した時刻と、移動していないと判別した時刻を蓄積して求める。
以下に、本実施形態の携帯端末の機能や動作について説明する。
【００７９】
［構成の説明］
本発明の第２の実施の形態における携帯端末は、移動体通信システムを構成する。まずは、本実施形態の携帯端末を備える移動体通信システムの構成と機能について説明する。
【００８０】
（１）本実施形態の携帯端末を備える移動体通信システムの構成
図５は、本発明の第２の実施の形態における携帯端末を備える移動体通信システムの構成例を示す図である。図５に示されるように、移動体通信システムは、携帯端末１０の代わりに、本実施形態の携帯端末５０を備える。
【００８１】
携帯端末５０は、携帯端末１０の機能を備える。さらに、携帯端末５０は、現在の日付や時刻などを刻むカレンダー機能を有する。携帯端末５０は、自身が使用されていないと判別すると、その時の時刻（以下、「未使用時刻」という）と日付を、上述のカレンダー機能により求め、記憶する。また、携帯端末５０は、移動せずに同じ位置に留まり続けていると判別した場合には、その時の時刻（以下、「移動なし時刻」という）と日付を、上述のカレンダー機能により求め、記憶する。携帯端末５０は、移動なし時刻を記憶すると、未使用時間帯と移動なし時間帯とを求める。具体的には、携帯端末５０は、日毎に、未使用時刻が所定数以上存在する時間帯（以下、「未使用候補時間帯」という）を求め、所定個以上の未使用候補時間帯が重なり合う時間帯を未使用時間帯とする。また、携帯端末５０は、日毎に、移動なし時刻が所定数以上存在する時間帯（以下、「移動なし候補時間帯」という）を求め、所定個以上の移動なし候補時間帯が重なり合う時間帯を、移動なし時間帯とする。上述の所定数や所定個は、本実施形態の移動体通信システムを保有する通信事業者によって予め携帯端末５０に設定される。さらに、携帯端末５０は、未使用候補時間帯と移動なし候補時間帯が重なる時間帯を求め、その時間帯をユーザーが日頃、活動していない時間帯（以下、「ユーザー非活動時間帯」という）と認識する。携帯端末５０は、移動なし時間帯を求めると、その時の時刻（以下、「省電力候補時刻」という）を上述のカレンダー機能により求める。携帯端末５０は、省電力候補時刻が、ユーザー非活動時間帯に含まれるかを確認する。携帯端末５０は、省電力候補時刻が、ユーザー非活動時間帯に含まれる場合、第１の実施形態の携帯端末と同じ省電力モードに遷移する。また、携帯端末５０は、省電力候補時刻が、ユーザー非活動時間帯に含まれない場合、小さい省電力モードに遷移する。小さい省電力モードとは、具体的には、携帯端末５０が、起動中の所定のアプリケーションを停止し、位置登録の一時的な停止は行わないモードである。
【００８２】
なお、上述した以外の構成や機能は、第１の実施の形態のおける無線通信端末を適用した無線通信装置と同じであるので、同一の符号を付して説明を省略する。
【００８３】
［動作の説明］
図６は、本発明の第２の実施の形態における携帯端末５０の動作を説明する為の図である。図６を用いて、本実施形態における携帯端末５０の動作を説明する。
【００８４】
まず、携帯端末５０は、図６に示されるように、上述のＳ１０で、自身が使用されていないと判別した場合、すなわち不使用と判別した場合には、その時の時刻（以下、「未使用時刻」という）と日付を、カレンダー機能により求め、記憶する（Ｓ１００）。カレンダー機能とは、［構成の説明］に上述したとおり、現在の日付や時刻などを刻む機能である。
【００８５】
次に、携帯端末５０は、図６に示されるように、上述のＳ２０で、移動なしと判別した場合、その時の時刻（以下、「移動なし時刻」という）と日付を、上述のカレンダー機能により求め、記憶する（Ｓ２００）。
【００８６】
次に、携帯端末５０は、図示していないが、移動なし時刻を記憶すると、未使用時間帯を求める。
【００８７】
具体的には、携帯端末５０は、日毎に、未使用時刻が所定数以上存在する時間帯（以下、「未使用候補時間帯」という）を求め、所定個以上の未使用候補時間帯が重なり合う時間帯を未使用時間帯とする。上述の所定数や所定個は、本実施形態の移動体通信システムを保有する通信事業者によって予め携帯端末５０に設定される。
【００８８】
次に、携帯端末５０は、図示していないが、上述のＳ２００で求めた、移動なし時刻を、
自身が使用されておらず、且つ、移動していないと判別した時の時刻（以下、「省電力候補時刻」という）と認識する。
【００８９】
また、携帯端末５０は、図示していないが、未使用時間帯を、ユーザーが日頃、活動していない時間帯（以下、「ユーザー非活動時間帯」という）と認識する。
【００９０】
次に、携帯端末５０は、図６に示されるように、省電力候補時刻が、ユーザー非活動時間帯に含まれるかを判別する（Ｓ２１０）。
【００９１】
次に、携帯端末５０は、上述のＳ２１０において、省電力候補時刻が、ユーザー非活動時間帯に含まれると判別した場合（図２では未使用時間帯と記載）、上述の第１の実施形態の携帯端末と同じ省電力モードに遷移する（Ｓ４０）。
【００９２】
一方、携帯端末５０は、上述のＳ２１０において、省電力候補時刻が、ユーザー非活動時間帯に含まれていない場合（図２では使用時間帯と記載）、小さい省電力モードに遷移する（Ｓ２２０）。
【００９３】
具体的には、携帯端末５０は、省電力候補時刻が、ユーザー非活動時間帯に含まれていない場合、起動中の所定のアプリケーションのみを停止した上で、上述のＳ３１を繰り返し実施する。すなわち、携帯端末５０は、所定のアプリケーションのみを停止するだけで、位置登録処理を一時的に停止することは行わない。Ｓ２２０は、Ｓ５０と同じ動作である。
【００９４】
なお、上述のＳ２００以降の動作は、以下の通りであってもよい。
【００９５】
まず、携帯端末５０は、上述のＳ２００を実施した後、未使用時間帯と移動なし時間帯を求める。
【００９６】
具体的には、携帯端末５０は、日毎に、未使用時刻が所定数以上存在する時間帯、すなわち未使用候補時間帯を求め、所定個以上の未使用候補時間帯が重なり合う時間帯を未使用時間帯とする。さらに、携帯端末５０は、日毎に、移動なし時刻が所定数以上存在する時間帯（以下、「移動なし候補時間帯」という）を求め、所定個以上の移動なし候補時間帯が重なり合う時間帯を、移動なし時間帯とする。上述の所定数や所定個は、本実施形態の移動体通信システムを保有する通信事業者によって予め携帯端末５０に設定される。
【００９７】
次に、携帯端末５０は、図示していないが、上述のＳ２００で求めた、移動なし時刻を、自身が使用されておらず、且つ、移動していないと判別した時の時刻（以下、「省電力候補時刻」という）と認識する。
【００９８】
また、携帯端末５０は、図示していないが、未使用候補時間帯と移動なし候補時間帯が重なる時間帯を求め、その時間帯をユーザーが日頃、活動していない時間帯（以下、「ユーザー活動停止時間帯」という）と認識する。
【００９９】
次に、携帯端末５０は、図６に示されるように、省電力候補時刻が、ユーザー活動停止時間帯に含まれるかを判別する。
【０１００】
次に、携帯端末５０は、上述のＳ２１０において、省電力候補時刻が、ユーザー活動停止時間帯に含まれると判別した場合、上述の第１の実施形態の携帯端末と同じ省電力モードに遷移する。
【０１０１】
一方、携帯端末５０は、上述のＳ２１０において、省電力候補時刻が、ユーザー非活動停止時間帯に含まれていない場合、上述した小さい省電力モードに遷移する。
【０１０２】
その他の動作については、第１の実施の形態の動作と同様である為、詳細の説明を省略する。
【０１０３】
［効果の説明］
本実施形態によれば、携帯端末は、ユーザーが日頃、活動する時間帯では、第１の実施形態の携帯端末より早く通常時の機能に復旧させることができる。
【０１０４】
その理由として、本実施形態の携帯端末は、ユーザーが日頃、活動していない時間帯を求め、その時間帯以外の時間帯、すなわちユーザーが活動する時間帯では、位置登録の一時的な停止までは行わないからである。すなわち、本実施形態の携帯端末は、第１の実施形態の携帯端末よりも停止する処理の数を抑えるので、より早く通常時の機能に復旧させることができる。
【０１０５】
［第３の実施の形態］
次に、本発明の第３の実施の形態について説明する。
【０１０６】
［構成の説明］
本発明の第３の実施の形態における携帯端末は、通信システムを構成する端末である。まず、本実施形態の携帯端末を備える通信システムの構成について説明する。
【０１０７】
（１）本発明の第３の実施の形態における携帯端末を備える通信システムの構成
図７は、本発明の第３の実施の形態における携帯端末を備える通信システムの構成例を示す図である。
【０１０８】
第３の実施の形態における通信システムは、本実施形態の携帯端末１００とコアネットワーク装置２００を備える。携帯端末１００とコアネットワーク装置２００は、図示していないが、基地局を介して接続されていてもよい。
【０１０９】
（２）本発明の第３の実施形態における通信システムを構成する各部位の機能
携帯端末１００は、コアネットワーク装置２００に、第１の頻度で繰り返し位置登録を行う携帯端末である。また、携帯端末１００は、自身が使用されておらず、且つ、移動していないと判別した第１の時点の後、所定の条件が満足されたときには、所定のアプリケーションを停止し、さらに、第１の頻度よりも低い第２の頻度で位置登録を行う。第１の頻度や第２の頻度は、本実施形態の通信システムを保有する通信事業者によって、予め携帯端末１０に設定されてもよい。また、所定の条件は、上述の判別が完了したことであってもよい。
【０１１０】
コアネットワーク装置２００は、一般的なコアネットワーク装置である。コアネットワーク装置２００は、ＭＭＥ（Ｍｏｂｉｌｉｔｙ  Ｍａｎａｇｅｍｅｎｔ  Ｅｎｔｉｔｙ）であってもよい。
【０１１１】
[動作の説明]
携帯端末１００は、コアネットワーク装置２００に、第１の頻度で繰り返し位置登録を行っている。
【０１１２】
このとき、携帯端末１００は、自身が使用されておらず、且つ、移動していないと判別した第１の時点の後、所定の条件が満足されたときには、所定のアプリケーションを停止し、さらに、第１の頻度よりも低い第２の頻度で位置登録を行う。
【０１１３】
なお、上述の所定の条件は、上述の判別が完了したことであってもよい。
【０１１４】
［効果の説明］
本実施形態によれば、携帯端末は、バッテリーの消費電力を十分に抑制することができる。
【０１１５】
その理由は、本実施形態の携帯端末が、ユーザーによって使用されていないとき、起動中のアプリケーションを停止するだけでなく、移動せずに同じ位置に留まり続けている場合には、より低い頻度で位置登録を行うからである。本実施形態の携帯端末は、アプリケーションに加え、より低い頻度で位置登録を行うようになった分、特許文献１の携帯端末よりも消費電力を抑制することができる。
【０１１６】
なお、上述した実施の形態は、その形態に限定されるものではなく、実施段階ではその要旨を逸脱しない範囲で種々変更可能である。
【０１１７】
さらに、上記の各実施形態の一部又は全部は、以下の付記のようにも記載されうるが、以下には限られない。
（付記１）
接続されるコアネットワーク装置に、第１の頻度で繰り返し位置登録を行う携帯端末であって、
自身が使用されておらず、且つ、移動していないと判別した第１の時点の後、所定の条件が満足されたときには、所定のアプリケーションを停止し、さらに、前記第１の頻度よりも低い第２の頻度で前記位置登録を行う、
ことを特徴とする携帯端末。
（付記２）
前記判別の後に、前記コアネットワーク装置に対し、省電力モードに遷移することを示すメッセージを出力し、前記メッセージに対する応答メッセージが入力された場合に、前記第２の頻度で前記位置登録を行う、
ことを特徴とする付記１に記載の携帯端末。
（付記３）
前記所定の条件は、自身が使用されてないと判別する頻度が第１の所定値以上である第１の時間帯に、前記第１の時点が生起した場合であり、前記所定の条件が満足されないときには、前記第１の頻度で前記位置登録を行う、
ことを特徴とする付記１乃至２のいずれか１項に記載の携帯端末。
（付記４）
前記所定の条件は、前記判定が完了したことである、
ことを特徴とする付記１乃至２のいずれか１項に記載の携帯端末。
（付記５）
前記携帯端末の水平角度の変化量を所定時間、計測するジャイロセンサーを備え、前記水平角度の変化量が第２の所定値以下であれば、移動していないと判別する、
ことを特徴とする付記１乃至４のいずれか１項に記載の携帯端末。
（付記６）
前記ジャイロセンサーによって、前記携帯端末の上下角度の変化量を所定時間、計測し、計測した前記上下角度の変化量が第３の所定値以下であれば、使用されていないと判別する、
ことを特徴とする付記１乃至５のいずれか１項に記載の携帯端末。
（付記７）
接続される携帯端末から第１の所定時間以内に位置登録がされるかを監視するコアネットワーク装置であって、
前記携帯端末から省電力モードに遷移することを示すメッセージが入力されると、前記第１の所定時間の代わりに、前記第１の所定時間より長い第２の所定時間を用いて、前記監視を開始し、前記メッセージに対する応答メッセージを出力する、
ことを特徴とするコアネットワーク装置。
（付記８）
携帯端末とコアネットワーク装置とが通信を行う通信システムであって、
前記携帯端末は、付記２乃至６のいずれか１項に記載の携帯端末であり、
前記コアネットワーク装置は、付記７に記載のコアネットワーク装置である、
ことを特徴とする通信システム。
（付記９）
接続されるコアネットワーク装置に、第１の頻度で繰り返し位置登録を行う携帯端末の制御方法であって、
自身が使用されておらず、且つ、移動していないと判別した第１の時点の後、所定の条件が満足されたときには、所定のアプリケーションを停止し、さらに、前記第１の頻度よりも低い第２の頻度で前記位置登録を行う、
ことを特徴とする携帯端末の制御方法。
（付記１０）
第１の所定時間以内に前記携帯端末から前記位置登録がされるかを監視しているときに、前記判別後に出力された、省電力モードに遷移することを示すメッセージが入力されると、前記第１の所定時間の代わりに、前記第１の所定時間より長い第２の所定時間を用いて、前記監視を開始し、さらに、前記メッセージに対する応答メッセージを出力する、
ことを特徴とする付記９の携帯端末の制御方法。
（付記１１）
前記コアネットワーク装置は、ＭＭＥ（Ｍｏｂｉｌｉｔｙ  Ｍａｎａｇｅｍｅｎｔ  Ｅｎｔｉｔｙ）である、
ことを特徴とする付記７に記載のコアネットワーク装置。
（付記１２）
前記所定の条件は、自身が使用されておらず、且つ、移動していると判別する頻度が第４の所定値以上である第２の時間帯に、前記第１の時点が生起した場合であり、前記所定の条件が満足されないときは、前記第１の頻度で前記位置登録を行う、
ことを特徴とする付記３乃至６のいずれか１項に記載の携帯端末。
（付記１３）
自身が使用されておらず、且つ、移動していると判別すると、所定のアプリケーションを停止し、さらに、前記第１の頻度で前記位置登録を行う、
ことを特徴とする付記１乃至６、又は付記１２のいずれか１項に記載の携帯端末。
（付記１４）
ＧＰＳ（Ｇｌｏｂａｌ  Ｐｏｓｉｔｉｏｎｉｎｇ  Ｓｙｓｔｅｍ）機能を備え、
前記ＧＰＳ機能によって、自分の位置を所定回数測定し、測定した前記位置がいずれも同じ前記位置であれば、移動していないと判別する、
ことを特徴とする付記１乃至６、又は付記１２乃至１３のいずれか１項に記載の携帯端末。
【符号の説明】
【０１１８】
１０    携帯端末
２０    基地局
３０    コアネットワーク装置
５０    携帯端末
１００    携帯端末
２００    コアネットワーク装置
【図１】
2014232940.tif 000003
【図２】
2014232940.tif 000004
【図３】
2014232940.tif 000005
【図４】
2014232940.tif 000006
【図５】
2014232940.tif 000007
【図６】
2014232940.tif 000008
【図７】
2014232940.tif 000009